(57)【要約】【課題】外気温度および筐体内温度に基づいて、光学系の温度制御を適切に行うことができる投写型表示装置およびリモコンを提供する。【解決手段】筐体内に光源を有し、映像を投影して表示する投写型表示装置であって、光源を冷却するための冷却ファン２４と、筐体内温度を検出する筐体内温度検出手段１５と、外気温度を受信する外気温度受信手段１４と、筐体内温度と外気温度とに基づいて、冷却ファンの駆動制御を行う冷却制御手段と、を備える。【選択図】図３
2010250083.tif 000002
【特許請求の範囲】
【請求項１】
筐体内に光源を有し、映像を投影して表示する投写型表示装置であって、
前記光源を冷却するための冷却ファンと、
筐体内温度を検出する筐体内温度検出手段と、
外気温度を受信する外気温度受信手段と、
前記筐体内温度と前記外気温度とに基づいて、前記冷却ファンの駆動制御を行う冷却制御手段と、を備えたことを特徴とする投写型表示装置。
【請求項２】
前記筐体内温度の目標温度を記憶する目標温度記憶手段をさらに備え、
前記冷却制御手段は、前記筐体内温度、前記外気温度および前記目標温度に基づいて、前記冷却ファンの駆動制御を行うことを特徴とする請求項１に記載の投写型表示装置。
【請求項３】
前記冷却ファンを駆動制御するための少なくとも２種類のファン制御テーブルを記憶するファン制御テーブル記憶手段と、
基準外気温度を示す基準外気温度保持手段と、をさらに備え、
前記外気温度と前記基準外気温度とに基づいて、前記ファン制御テーブルを切り替えることを特徴とする請求項１または２に記載の投写型表示装置。
【請求項４】
前記外気温度の送信要求信号もしくは送信停止信号を送信する要求信号送信手段をさらに備え、
前記要求信号送信手段は、前記投写型表示装置の電源ボタンの操作に連動しており、前記電源ボタンが電源ＯＮ操作の場合は、前記外気温度の送信要求信号を送信し、前記電源ボタンが電源ＯＦＦ操作の場合は、前記外気温度の送信停止信号を送信することを特徴とする請求項１ないし３のいずれかに記載の投写型表示装置。
【請求項５】
投写型表示装置を遠隔操作するためのリモコンであって、
外気温度を検出する外気温度検出手段を有していることを特徴とするリモコン。
【請求項６】
前記投写型表示装置とデータの送受信を行うための送受信手段をさらに備え、
前記送受信手段は、前記投写型表示装置から外気温度の送信要求信号を受信した場合は、前記外気温度検出手段が検出した前記外気温度を送信し、外気温度の送信停止信号を受信した場合は、前記外気温度の送信を停止することを特徴とする請求項５に記載のリモコン。
【請求項７】
前記投写型表示装置を遠隔操作にて電源をＯＮもしくはＯＦＦする電源遠隔操作ボタンを有し、
前記送受信手段は、前記電源遠隔操作ボタンの操作に連動しており、前記電源遠隔操作ボタンが電源ＯＮ操作の場合は、前記外気温度の送信を開始し、前記電源遠隔操作ボタンが電源ＯＦＦ操作の場合は、前記外気温度の送信を停止することを特徴とする請求項５または６に記載のリモコン。
【発明の詳細な説明】
【技術分野】
【０００１】
本発明は、映像を投影して表示する投写型表示装置およびリモコンに関するものである。
【背景技術】
【０００２】
一般的に、プロジェクターでは、その使用時に筐体内の温度が非常に高くなり、この温度上昇により光学系の性能が劣化してしまうため、光学系の冷却は非常に重要なポイントとなっている。従来は、この光学系の冷却に際し、筐体内の複数箇所に温度センサーを設け、検出した温度に基づいて冷却ファンの回転数を決定していた。しかし、筐体内の温度センサーは、環境温度が比較的低くても近傍の温度を拾うため、結果として温度が高いと判断し、必要以上に冷却ファンを高速で回転するという問題があった。
この問題を解決する方法として、特許文献１には、プロジェクターの筐体の吸気口と、吸気口から外気を吸入する吸気ファンとの間をダクトで接続し、このダクト内に温度センサーを設け、この温度センサーで検出した温度に基づいてファン（吸気ファンおよび排気ファン）の回転を制御する技術が記載されている。
【先行技術文献】
【特許文献】
【０００３】
【特許文献１】特開２００３−５２８９号公報
【発明の概要】
【発明が解決しようとする課題】
【０００４】
しかしながら、特許文献１に記載の方法では、外気温の高低のみで吸気ファンおよび排気ファンの回転数を制御しており、本来、温度を制御すべき対象である光学系の温度（筐体内の温度）は全く考慮されていない。また、外気温の測定と称していても、吸気ファンによる風の影響を受けるため、正確な外気温を測定することは不可能である。このため、光学系の冷却を行うためのファンの回転を適切に制御することは難しく、結果として、光学系の温度制御を適切に行うことができないという問題がある。
【０００５】
本発明は、上記の問題に鑑み、外気温度および筐体内温度に基づいて、光学系の温度制御を適切に行うことができる投写型表示装置およびリモコンを提供することを目的とする。
【課題を解決するための手段】
【０００６】
本発明の投写型表示装置は、筐体内に光源を有し、映像を投影して表示する投写型表示装置であって、光源を冷却するための冷却ファンと、筐体内温度を検出する筐体内温度検出手段と、外気温度を受信する外気温度受信手段と、筐体内温度と前記外気温度とに基づいて、冷却ファンの駆動制御を行う冷却制御手段と、を備えたことを特徴とする投写型表示装置。
【０００７】
この構成によれば、投写型表示装置の筐体内温度、および外気温度を考慮して、冷却ファンの駆動制御を行うことができる。例えば、筐体内温度が下がったことにより、筐体内温度と外気温度との温度差が小さくなった場合、現状の冷却能力は過剰であると判断できるため、冷却ファンの回転数を徐々に弱めるように制御を行う。また、外気温度が高くなったことにより、筐体内温度と外気温度との温度差が小さくなった場合、筐体内の温度が上昇することが予想されるため、冷却ファンの回転数を徐々に高めるように制御を行う。このように、筐体内温度および外気温度を考慮することで、きめ細かく冷却ファンの回転数を制御することができるため、筐体内の温度調整を適切に行うことができ、結果として光学系（光学エンジン（液晶パネルや有機膜等））の寿命を延ばすことができる。また、必要以上に冷却ファンを回転することを防止でき、冷却ファンの駆動による騒音を低減することができる。
【０００８】
本発明の投写表示装置において、筐体内温度の目標温度を記憶する目標温度記憶手段をさらに備え、冷却制御手段は、筐体内温度、外気温度および目標温度に基づいて、冷却ファンの駆動制御を行うことが好ましい。
【０００９】
この構成によれば、筐体内温度および外気温度に加え、筐体内温度の目標温度も考慮して、冷却ファンの駆動制御を行うことができる。これにより、より一層、きめ細かい冷却ファンの回転数制御を行うことができ、筐体内の温度調整を適切に行うことができる。また、目標温度、つまり筐体内温度を何度に保ちたいかを示す温度を設定し、その温度を保つように冷却ファンの駆動制御を行うことで、光学系の温度が無駄に高温になることを抑制でき、光学系の寿命を大幅に延ばすことができる。
【００１０】
本発明の投写型表示装置において、冷却ファンを駆動制御するための少なくとも２種類のファン制御テーブルを記憶するファン制御テーブル記憶手段と、基準外気温度を示す基準外気温度保持手段と、をさらに備え、外気温度と基準外気温度とに基づいて、ファン制御テーブルを切り替えることが好ましい。
【００１１】
この構成によれば、外気温度と基準外気温度とに基づいて、ファン制御テーブルを切り替えることで、その状況にあった適切な冷却ファンの駆動制御を行うことができ、筐体内の温度調整を適切に行うことができる。
【００１２】
本発明の投写型表示装置において、外気温度の送信要求信号もしくは送信停止信号を送信する要求信号送信手段をさらに備え、要求信号送信手段は、投写型表示装置の電源ボタンの操作に連動しており、電源ボタンが電源ＯＮ操作の場合は、外気温度の送信要求信号を送信し、電源ボタンが電源ＯＦＦ操作の場合は、外気温度の送信停止信号を送信することが好ましい。
【００１３】
この構成によれば、電源のＯＮ／ＯＦＦといった、ユーザーが通常行う操作をトリガーとすることで、特別な操作を行うことなく外気温度の送信要求および停止要求を行うことができる。
【００１４】
本発明のリモコンは、投写型表示装置を遠隔操作するためのリモコンであって、外気温度を検出する外気温度検出手段を有していることを特徴とする。
【００１５】
この構成によれば、外気温度の検出をリモコンで行うことで、投写型表示装置本体から発生する熱による影響を受けない正確な温度を検出することができる。
【００１６】
本発明のリモコンにおいて、投写型表示装置とデータの送受信を行うための送受信手段をさらに備え、送受信手段は、投写型表示装置から外気温度の送信要求信号を受信した場合は、外気温度検出手段が検出した外気温度を送信し、外気温度の送信停止信号を受信した場合は、外気温度の送信を停止することが好ましい。
【００１７】
この構成によれば、投写型表示装置からの外気温度の送信要求信号および送信停止信号に基づいて検出した外気温度の送信／送信停止を行うことで、適切なタイミングで外気温度を送信することができる。つまり、投写型表示装置との間で無駄な通信を行うこと防止できる。
【００１８】
本発明のリモコンにおいて、投写型表示装置を遠隔操作にて電源をＯＮもしくはＯＦＦする電源遠隔操作ボタンを有し、送受信手段は、電源遠隔操作ボタンの操作に連動しており、電源遠隔操作ボタンが電源ＯＮ操作の場合は、外気温度の送信を開始し、電源遠隔操作ボタンが電源ＯＦＦの場合は、外気温度の送信を停止することが好ましい。
【００１９】
この構成によれば、リモコンによる電源ＯＮ／ＯＦＦ操作といった、ユーザーが通常行う操作をトリガーとすることで、特別な操作を行うことなく外気温度の送信／送信停止を行うことができる。
【図面の簡単な説明】
【００２０】
【図１】第１実施形態および第２実施形態に係るプロジェクターの制御構成を示すブロック図である。
【図２】第１実施形態のファン制御テーブルを説明する図である。
【図３】第１実施形態の冷却制御の処理手順について説明するフローチャートである。
【図４】第２実施形態のファン制御テーブルを説明する図である。
【図５】第２実施形態の冷却制御の処理手順について説明するフローチャートである。
【発明を実施するための形態】
【００２１】
［第１実施形態］
以下、添付した図面を参照して、本発明の一実施形態に係る投写型表示装置およびリモコンについて説明する。本発明の投写型表示装置は、外気温度および筐体内温度に基づいて、光学系の温度制御を適切に行うものである。なお、本実施形態では、プロジェクターおよびこれを操作するためのリモコンを例に挙げて説明する。
【００２２】
図１は、第１実施形態のプロジェクター１の制御構成を示すブロック図である。同図に示すように、プロジェクター１は、信号取得部１１、映像信号処理部１２、操作部１３、リモコン送受信部（外気温度受信手段、要求信号送信手段）１４、筐体内温度センサー１５（筐体内温度検出手段）、冷却部１６、投写光学部１７、および制御部１８を備えている。
【００２３】
信号取得部１１は、パーソナルコンピューターやビデオレコーダー等の外部機器５１から画像データを取得する。なお、外部機器５１ではなく、外部記憶媒体（ＵＳＢメモリーやコンパクトフラッシュ（登録商標）等）から画像データ等を取得するようにしても良い。
【００２４】
映像信号処理部１２は、信号取得部１１が取得した画像データに対し、後述のＲＯＭ２２内の画像処理プログラムに基づいて、所定の画像処理を実行する。所定の画像処理としては、台形歪補正処理、画質調整処理、画像サイズ調整処理、ガンマ補正処理等が含まれる。
【００２５】
操作部１３は、プロジェクター１に設けられ、プロジェクター１の電源ＯＮ／ＯＦＦ操作を行うための電源ボタンや各種設定（コントラスト設定、色補正、環境設定など）を行うためのボタン群を有している。ユーザーによりこれらのボタンが操作されることで、プロジェクター１に対して各種指示が行われる。
【００２６】
リモコン送受信部１４は、リモコン４１からの操作信号やデータ（外気温度）を受信するものである。特に、プロジェクター１は、前述の電源ボタン（操作部１３）により装置の電源ＯＮ操作が行われると、リモコン送受信部１４を介してリモコン４１に対して、外気温度の送信要求信号を送信し、電源ＯＦＦ操作が行われると、リモコン４１に対して外気温度の送信停止信号を送信する。また、プロジェクター１は、リモコン送受信部１４を介してリモコン４１から外気温度を受信する。
【００２７】
リモコン４１は、プロジェクター１を遠隔操作するためのものであり、操作部１３による操作と同様の操作を行うための各種ボタン群（電源ボタン（電源遠隔操作ボタン）を含む）を有している。また、リモコン４１は、当該リモコン４１の設置場所の温度、つまり外気温度を検出するための温度センサー（以下、「外気温度センサー４２（外気温度検出手段）」と称す。）と、プロジェクター１との間でデータの送受信を行う無線送受信部４３（送受信手段）とを有している。そして、リモコン４１は、無線送受信部４３を介してプロジェクター１から外気温度の送信要求信号を受信すると、これをトリガーとして、所定間隔で、プロジェクター１に対して検出した外気温度を送信する。また、プロジェクター１から外気温度の送信停止信号を受信すると、これをトリガーとしてプロジェクター１に対する外気温度の送信を停止する。
【００２８】
このように、外気温度の検出をリモコン４１で行うことで、プロジェクター１から発生する熱による影響を受けない正確な外気温度を検出することができる。また、プロジェクター１とリモコン４１との間の外気温度の送受信に際し、プロジェクター１本体の電源のＯＮ／ＯＦＦ操作といったユーザーが通常行う操作をトリガーとすることで、ユーザーが特別な操作を行う必要がない。
【００２９】
なお、上記の外気温度の送受信は、プロジェクター１本体の電源ボタンの操作のみならず、リモコン４１に設けられた電源ボタンの操作によっても実行される。この場合、リモコン４１は、自身の電源ボタンによる電源ＯＮ操作をトリガーとして、プロジェクター１に対して外気温度を送信し、電源ＯＦＦ操作をトリガーとして、プロジェクター１に対する外気温度の送信を停止する。このように、リモコン４１による電源ＯＮ／ＯＦＦ操作といった、ユーザーが通常行う操作をトリガーとすることで、特別な操作を行うことなく、プロジェクター１に対して外気温度の送信／送信停止を行うことができる。なお、温度センサーは接触式でも非接触式でも構わない。接触式の場合は、熱伝対やサーミスター、白金抵抗体、ＩＣセンサー、水晶温度計などを利用することができる。非接触式の場合は、赤外線を利用したタイプや光を利用したタイプなど利用することができる。
【００３０】
筐体内温度センサー１５は、プロジェクター１の筐体内（特に、投写光学部１７周り）の温度を検出する（以下、この検出温度を「筐体内温度」と称す）。
【００３１】
冷却部１６は、冷却ファン２４およびファン駆動部２５を有している。冷却ファン２４は、その回転により、プロジェクター１の筐体内（特に投写光学部１７周り）の温度を冷却させる。ファン駆動部２５は、制御部１８からの駆動指令に基づいて、冷却ファン２４を駆動する。
【００３２】
投写光学部１７は、スクリーンＳＣ上に、画像を投写するためのものであり、光源ランプ３１、液晶ライトバルブ３２、投写レンズ３３、ランプ駆動部３４およびライトバルブ駆動部３５を有している。
【００３３】
光源ランプ３１としては、ハロゲンランプ、メタルハライドランプまたは高圧水銀ランプを適用可能である。また、光源ランプ３１に代えて、レーザーやＬＥＤなどの固体光源を用いても良い。液晶ライトバルブ３２は、一対の透明基板間に液晶が封入された液晶パネル等によって構成され、各透明基板の内面には、液晶に対して微小領域毎に駆動電圧を印加可能な透明電極が、画素としてマトリクス状に形成されている。ランプ駆動部３４は、制御部１８からの点灯指令に基づいて、光源ランプ３１を点灯させる。ライトバルブ駆動部３５は、液晶ライトバルブ３２の各画素に、画像データに応じた駆動電圧を印加することにより、各画素の光透過率を設定する。
【００３４】
上記の構成により、投写光学部１７では、光源ランプ３１から射出された照明光が、液晶ライトバルブ３２を透過することによって変調される。また、変調された画像光は、不図示の光合成光学系（ダイクロイックプリズムなど）により画素毎に合成され、投写レンズ３３によってスクリーンＳＣ上に投写される。
【００３５】
制御部１８は、ＣＰＵ（Central Processing Unit）２１、ＲＯＭ（Read Only Memory，ファン制御テーブル記憶手段、基準外気温度保持手段）２２、およびＲＡＭ（Random Access Memory）２３を有している。ＣＰＵ２１は、各種演算処理を行う中央処理装置であり、バス２６を介して各部との信号の入出力を行うことによりプロジェクター１を統括制御する。特に、本実施形態では、ＣＰＵ２１は、冷却ファン２４の回転（ファン駆動部２５の駆動）に関する処理を制御する。具体的には、ＣＰＵ２１は、筐体内温度センサー１５で検出した筐体内温度に基づいて冷却ファン２４の回転を制御する第１冷却制御と、筐体内温度の温度変化、外気温度の温度変化、および筐体内温度と外気温度との温度差に基づいて、冷却ファン２４の回転を制御する第２冷却制御（冷却制御手段）と、のいずれかの制御方法により冷却ファン２４の回転を制御する（詳細は後述する）。
【００３６】
ＲＡＭ２３は、ＣＰＵ２１が各種演算処理を行う際の作業領域として用いられる。また、ＲＡＭ２３は、温度記憶領域２３ａを有している。この温度記憶領域２３ａには、前回取得した外気温度（以下、「前回外気温度」と称す。）、前回検出した筐体内温度（以下、「前回筐体内温度」と称す。）、および前回筐体内温度と前回外気温度との温度差（以下、「前回温度差」と称す。）が記憶されている。
【００３７】
前回外気温度は、外気温度の温度変化を算出するために参照されるものであり、ＣＰＵ２１は、前回外気温度と現時点で取得した外気温度との差により、外気温度が上がったのか、下がったのか、あるいは変わらないのかを判断する。また、前回筐体内温度は、筐体内温度の温度変化を算出するために参照されるものであり、ＣＰＵ２１は、前回筐体内温度と現時点で検出した筐体内温度との差により、筐体内温度が上がったのか、下がったのか、あるいは変わらないのかを判断する。また、前回温度差は、筐体内温度と外気温度との温度差の変化を算出するために参照されるものであり、ＣＰＵ２１は、前回温度差と、現時点の筐体内温度および外気温度の温度差（以下、「現時点温度差」と称す。）との差により、温度差が小さくなったのか、大きくなったのか、あるいは変わらないのかを判断する。
【００３８】
ＲＯＭ２２は、ＣＰＵ２１が各種演算処理を行うために用いられる制御プログラムおよび制御データを記憶している。当該制御プログラムには、上述の映像信号処理部１２において用いられる画像処理プログラムや基本ソフトウェアであるＯＳ（Operating System）を含んでいる。また、ＲＯＭ２２は、制御データとして、ファン制御テーブルＴ（ファン制御テーブルＴ１およびファン制御テーブルＴ２）を記憶している。ファン制御テーブルＴ１は、筐体内温度により、どのように冷却ファン２４の回転数を制御するのか（冷却ファン２４への制御信号）を示すテーブルであり、第１冷却制御で参照される。ファン制御テーブルＴ２は、筐体内温度と外気温度との温度の変化パターン（温度差が小さくなる場合、温度差が大きくなる場合、および温度差が変わらない場合）と、この温度変化の要因となる事象（筐体内温度や外気温度の温度変化）とにより、どのように冷却ファン２４の回転数を制御するのか（冷却ファン２４への制御信号）を示すテーブルであり、第２冷却制御で参照される。また、ＲＯＭ２２には、制御データとして、外気温度として想定できる最大温度（例えば、３５度や４０度等。以下、「基準外気温度」と称す。）が記憶されている。
【００３９】
次に、図２を参照して、ファン制御テーブルＴ２について説明する。上述のように、このファン制御テーブルＴ２は、温度差の変化とその要因となる事象とにより、冷却ファン２４の回転数をどのように制御するかを示すものである。なお、ファン制御テーブルＴ２中の斜線は、その事象が発生し得ないことを意味している。
【００４０】
例えば、筐体内温度と外気温度との温度差が前回温度差と比較して小さい場合、それがどの要因で生じているかを検討する。例えば、要因として外気温度に関わらず筐体内温度が下がる事象によるものであれば、現状の冷却能力は過剰であると判断できるため、冷却ファン２４の回転数を徐々に弱めるように制御する。また、その要因が、筐体内温度は安定しており、外気温度が上がる事象によるものであれば、外気温度の上昇に伴い、今後筐体内温度の上昇が予想されるため、冷却ファン２４の回転数を徐々に高めるように制御する。
【００４１】
また、筐体内温度と外気温度との温度差が前回温度差と比較して大きい場合、例えばその要因が、外気温度に関わらず筐体内温度が上がる事象によるものであれば、現状の冷却能力では不十分であると判断できるため、冷却ファン２４の回転数を徐々に高めるように制御する。また、例えばその要因が、筐体内温度は安定しており、外気温度が下がる事象によるものであれば、外気温度が下がることによる冷却効果により、筐体内温度が下降することが予想されるため、冷却ファン２４の回転数を徐々に弱めるように制御する。
【００４２】
同様に、筐体内温度と外気温度との温度差が前回温度差と変わらない場合、例えばその要因が、筐体内温度および外気温度の両方が上がる事象によるものであれば、現状の冷却能力では不十分と判断できるため、冷却ファン２４の回転数を徐々に高めるように制御する。また、例えばその要因が、筐体内温度および外気温度の両方が下がる事象によるものであれば、現状の冷却能力は過剰であると判断できるため、冷却ファン２４の回転数を徐々に弱めるように制御する。
【００４３】
次に、図３のフローチャートを参照して、第１実施形態のプロジェクター１の冷却制御の処理手順について説明する。なお、以下のフローチャートでは、プロジェクター１本体の電源ボタンにより、電源ＯＮ操作（起動操作）が行われる場合を例示する。まず、プロジェクター１本体の電源ボタンにより電源ＯＮ操作が行われると、プロジェクター１（ＣＰＵ２１）は、この電源ＯＮを検出し（Ｓ０１）、これをトリガーとしてリモコン４１に対して外気温度の送信要求信号を送信する（Ｓ０２）。次に、プロジェクター１は、送信要求信号を受信したリモコン４１から、当該リモコン４１の外気温度センサー４２により検出された外気温度を取得（受信）する（Ｓ０３）。続いて、プロジェクター１は、取得した外気温度とＲＯＭ２２に記憶された基準外気温度（ここでは、４０度とする）と、を比較する（Ｓ０４）。
【００４４】
外気温度が基準外気温度よりも高い場合（外気温度＞基準外気温度，Ｓ０５；Ｎｏ）、プロジェクター１は、筐体内温度センサー１５により筐体内温度を検出する（Ｓ０６）。そして、プロジェクター１は、ファン制御テーブルＴ１を参照し、検出した筐体内温度に基づく冷却制御（第１冷却制御）を実行する（Ｓ０７）。つまり、外気温度が４０度（基準外気温度）を越えることは考えにくいため、リモコン４１が適切ではない場所（例えば、プロジェクター１の排気口の傍や筐体上等）に置かれ、正確な外気温度が取得できていないと判断する。この場合、プロジェクター１は、外気温度を考慮せず、筐体内温度のみに基づいた冷却制御を実行する。この後、プロジェクター１は、リモコン４１から所定間隔で送信される外気温度に基づいてＳ０３以降の処理を繰り返す。
【００４５】
一方、外気温度が基準外気温度以下の場合（外気温度≦基準外気温度，Ｓ０５；Ｙｅｓ）、プロジェクター１は、温度記憶領域２３ａに前回外気温度および前回筐体内温度が記憶されているか否かを判断する。前回外気温度および前回筐体内温度が記憶されていない場合（Ｓ０８；Ｎｏ）、プロジェクター１は、Ｓ０６以降の処理を実行する。
【００４６】
一方、前回外気温度および前回筐体内温度が記憶されている場合（Ｓ０８；Ｙｅｓ）、プロジェクター１は、筐体内温度センサー１５により筐体内温度を検出する（Ｓ０９）。続いて、プロジェクター１は、検出した筐体内温度と取得した外気温度との温度差（現時点温度差）を算出する（Ｓ１０）。次に、プロジェクター１は、前回温度差と現時点温度差とを比較する（Ｓ１１）。続いて、プロジェクター１は、前回筐体内温度とＳ０９で検出した現時点の筐体内温度とを比較する（Ｓ１２）。続いて、プロジェクター１は、前回外気温度とＳ０３で取得した現時点の外気温度とを比較する（Ｓ１３）。
【００４７】
これにより、筐体内温度と外気温度との温度差の変化（温度差が小さくなったか、大きくなったか、あるいは変わらないのか）、およびその要因となる事象（筐体内温度の温度変化（温度上昇／温度下降／変化なし）や外気温度の温度変化（温度上昇／温度下降／変化なし））を判断することができる。そして、プロジェクター１は、ファン制御テーブルＴ２を参照し、上記の筐体内温度と外気温度との温度差の変化、筐体内温度の温度変化、および外気温度の温度変化に基づく冷却制御（第２冷却制御）を行う（Ｓ１４）。その後、プロジェクター１は、リモコン４１から所定間隔で送信される外気温度に基づいてＳ０３以降の処理を繰り返す。このように、外気温度と基準外気温度との関係に基づいて、第１冷却制御（ファン制御テーブルＴ１）および第２冷却制御（ファン制御テーブルＴ２）を切り替えることにより、その状況にあった適切な冷却ファン２４の駆動制御を行うことができる。
【００４８】
以上のように、第１実施形態によれば、プロジェクター１の筐体内温度、外気温度を考慮して、冷却ファン２４の回転数の制御（冷却ファン２４の駆動制御）を行うことができる。外気温度および筐体内温度を考慮することで、きめ細かく冷却ファン２４の回転数を制御することができるため、結果的に、筐体内の温度（投写光学部１７周り）の温度調整を適切に行うことができ、投写光学部１７の構成要素の寿命を延ばすことができる。また、必要以上に冷却ファン２４を回転することを防止でき、冷却ファン２４の駆動による騒音を低減することができる。
【００４９】
［第２実施形態］
次に、図４および図５を参照し、本発明の第２実施形態のプロジェクター１について説明する。なお、第２実施形態のプロジェクター１は、基本的な機器構成は、第１実施形態のプロジェクター１と同一であるが（図１参照）、冷却ファン２４の回転数の制御に関して第１実施形態のプロジェクター１とは異なる。具体的には、プロジェクター１の筐体内温度の目標温度を設定し、筐体内温度、外気温度に加え、この目標温度を考慮して冷却ファン２４の回転数の制御（第３冷却制御，冷却制御手段）を行う点で異なる。以下、異なる点を中心に説明する。
【００５０】
第２実施形態のプロジェクター１は、ＲＯＭ２２に目標温度を記憶している（目標温度記憶手段）。この目標温度は、プロジェクター１を安定して使用するための筐体内温度の指標となる温度である。また、ＲＯＭ２２には、第１実施形態のファン制御テーブルＴ２に代えて、目標温度と筐体内温度との温度差を考慮したファン制御テーブルＴ（ファン制御テーブルＴ３）を記憶している（詳細は後述する）。
【００５１】
また、第２実施形態のプロジェクター１は、ＲＡＭ２３の温度記憶領域２３ａに、目標温度と前回検出した筐体内温度との温度差（以下、「前回目標温度差」と称す。）をさらに記憶している。この前回目標温度差は、目標温度と筐体内温度との温度差の変化を算出するために参照されるものであり、ＣＰＵ２１は、目標温度と現時点で検出した筐体内温度の温度差（以下、「現時点目標温度差」と称す。）と、前回目標温度差との差により、目標温度と筐体内温度との温度差が小さくなったのか、大きくなったのか、あるいは変わらないのかを判断する。
【００５２】
次に、図４を参照して、ファン制御テーブルＴ３について説明する。このファン制御テーブルＴ３は、目標温度と筐体内温度との温度差の変化および筐体内温度と外気温度との温度差の変化と、その要因となる事象とにより、冷却ファン２４の回転数をどのように制御するか（冷却ファン２４への制御信号）を示すものであり、第３冷却制御で参照される。なお、ファン制御テーブルＴ３中の斜線は、その事象が発生し得ないことを意味している。また、図中の「冷却ファン２４の回転数をさらに高める」とは、「冷却ファン２４の回転数を徐々に高める」よりも急速に回転数を高くすることを意味する。
【００５３】
例えば、目標温度と筐体内温度との温度差が前回目標温度差と比較して小さく、且つ筐体内温度と外気温度との温度差が前回温度差と比較して小さい場合、それがどの要因で生じているかを検討する。例えば、要因として外気温度に関わらず筐体内温度が下がる事象によるものであれば、筐体内温度が目標温度に向けて下降していると判断できるため、アンダーシュートしないように冷却ファン２４の回転数を制御する。つまり、この場合、現状の冷却能力は過剰であり、この状態で冷却を続けるとアンダーシュートする可能性があるため、冷却ファン２４の回転数を徐々に弱めるように制御する。
【００５４】
また、目標温度と筐体内温度との温度差が前回目標温度差と比較して小さく、且つ筐体内温度と外気温度との温度差が前回温度差と比較して大きい場合、例えばその要因が、外気温度に関わらず筐体内温度が上がる事象によるものであれば、筐体内温度が目標温度に向けて上昇していると判断できるため、オーバーシュートしないように冷却ファン２４の回転数を制御する。つまり、この場合、現状の冷却能力では不十分であり、この状態で冷却を続けるとオーバーシュートする可能性があるため、冷却ファン２４の回転数を徐々に高めるように制御する。
【００５５】
また、目標温度と筐体内温度との温度差が前回目標温度差と比較して小さく、且つ筐体内温度と外気温度との温度差が前回温度差と変わらない場合、例えばその要因が、筐体内温度および外気温度の両方が上がる事象によるものであれば、筐体内の冷却としては釣り合いが取れていると判断でき、さらに筐体内温度が目標温度に近づくように上昇していているため、冷却ファン２４の回転数は現状のまま維持するように制御する。同様に、他の場合についても、その要因となる事象に応じて冷却ファン２４の回転数を制御するように定義されている。
【００５６】
次に、図５のフローチャートを参照して、第２実施形態のプロジェクター１の冷却制御の処理手順について説明する。なお、以下のフローチャートでは、プロジェクター１本体の電源ボタンにより、電源ＯＮ操作（起動操作）が行われる場合を例示する。まず、プロジェクター１本体の電源ボタンにより電源ＯＮ操作が行われると、プロジェクター１（ＣＰＵ２１）は、この電源ＯＮを検出し（Ｓ２１），これをトリガーとして、リモコン４１に対して外気温度の送信要求信号を送信する（Ｓ２２）。次に、プロジェクター１は、送信要求信号を受信したリモコン４１から、当該リモコン４１の外気温度センサー４２により検出された外気温度を取得（受信）する（Ｓ２３）。続いて、プロジェクター１は、取得した外気温度とＲＯＭ２２に記憶された基準外気温度（ここでは、４０度とする）と、を比較する（Ｓ２４）。
【００５７】
外気温度が基準外気温度よりも高い場合（外気温度＞基準外気温度，Ｓ２５；Ｎｏ）、プロジェクター１は、筐体内温度センサー１５により筐体内温度を検出する（Ｓ２６）。そして、プロジェクター１は、ファン制御テーブルＴ１を参照し、検出した筐体内温度に基づく冷却制御（第１実施形態の第１冷却制御）を実行する（Ｓ２７）。この後、プロジェクター１は、リモコン４１から所定間隔で送信される外気温度に基づいてＳ２３以降の処理を繰り返す。
【００５８】
一方、外気温度が基準外気温度以下の場合（外気温度≦基準外気温度，Ｓ２５；Ｙｅｓ）、プロジェクター１は、温度記憶領域２３ａに前回外気温度および前回筐体内温度が記憶されているか否かを判断する。前回外気温度および前回筐体内温度が記憶されていない場合（Ｓ２８；Ｎｏ）、プロジェクター１は、Ｓ２６以降の処理を実行する。
【００５９】
一方、前回外気温度および前回筐体内温度が記憶されている場合（Ｓ２８；Ｙｅｓ）、プロジェクター１は、筐体内温度センサー１５により筐体内温度を検出する（Ｓ２９）。続いて、プロジェクター１は、目標温度と検出した筐体内温度との温度差（現時点目標温度差）を算出する（Ｓ３０）。さらに、プロジェクター１は、検出した筐体内温度と取得した外気温度との温度差（現時点温度差）を算出する（Ｓ３１）。
【００６０】
次に、プロジェクター１は、前回目標温度差と現時点目標温度差とを比較する（Ｓ３２）。続いて、プロジェクター１は、前回温度差と現時点温度差とを比較する（Ｓ３３）。続いて、プロジェクター１は、前回筐体内温度とＳ２９で検出した現時点の筐体内温度とを比較する（Ｓ３４）。さらに、プロジェクター１は、前回外気温度とＳ２３で取得した現時点の外気温度との比較を行う（Ｓ３５）。
【００６１】
これにより、目標温度と筐体内温度との温度差の変化、筐体内温度と外気温度との温度差の変化、およびこれら温度変化の要因となる事象（筐体内温度の温度変化や外気温度の温度変化）を判断することができる。そして、プロジェクター１は、ファン制御テーブルＴ３を参照し、上記の目標温度と筐体内温度との温度差の変化、筐体内温度と外気温度との温度差の変化、筐体内温度の温度変化、および外気温度の温度変化に基づいて冷却制御（第３冷却制御）を行う（Ｓ３６）。その後、プロジェクター１は、リモコン４１から所定間隔で送信される外気温度に基づいてＳ２３以降の処理を繰り返す。このように、外気温度と基準外気温度との関係に基づいて、第１冷却制御（ファン制御テーブルＴ１）および第３冷却制御（ファン制御テーブルＴ３）を切り替えることにより、その状況にあった適切な冷却ファン２４の駆動制御を行うことができる。
【００６２】
以上のように、第２実施形態によれば、筐体内温度、外気温度に加え、目標温度を考慮して、冷却ファン２４の駆動制御を行うことができる。これにより、より一層、きめ細かい冷却ファン２４の回転数の制御を行うことができ、筐体内（投写光学部１７周り）の温度調整を適切に行うことができる。また、目標温度を設定し、その温度を保つように冷却ファン２４の回転数の制御を行うことで、投写光学部１７の構成要素の温度が無駄に高温になることを抑制することができ、その寿命を大幅に延ばすことができる。
【００６３】
なお、第１実施形態および第２実施形態では、リモコン４１からプロジェクター１に対して、無線通信により外気温度を送信するようにしているが、これに限るものではなく、例えば、赤外線通信を用いて送信するようにしてもよい。
【００６４】
また、第１実施形態および第２実施形態では、リモコン４１からプロジェクター１に対して、所定間隔で外気温度を送信するようにしているが、これに限るものではなく、例えば、外気温度が変化した場合に送信するようにしても良い。
【００６５】
また、第１実施形態および第２実施形態では、外気温度の検出をリモコン４１で行っているが、これに限るものではない。例えば、スクリーンＳＣに外気温度を検出する温度センサーを設置し、検出した外気温度をプロジェクター１に対して送信するようにしても良い。あるいは、外気温度を検出する温度センサーをプロジェクター１の筐体外部に設置するようにしても良い。
【００６６】
また、上記の実施形態に示したプロジェクター１の各構成要素をプログラムとして提供することが可能である。また、そのプログラムを各種記録媒体（ＣＤ−ＲＯＭ、フラッシュメモリ等）に格納して提供することも可能である。すなわち、コンピューターを、プロジェクター１の各構成要素として機能させるためのプログラム、およびそれを記録した記録媒体も、本発明の権利範囲に含まれるものである。
【００６７】
また、上記の実施形態では、プロジェクター１の表示方式として、透過型液晶表示方式を採用しているが、反射型液晶表示方式、ＣＲＴ表示方式やライトスイッチ表示方式（マイクロミラーデバイス方式）など、プロジェクター１の表示原理は問わない。その他、本発明の要旨を逸脱しない範囲で、適宜変更が可能である。
【符号の説明】
【００６８】
１…プロジェクター  １４…リモコン送受信部  １５…筐体内温度センサー  １７…投写光学部  ２１…ＣＰＵ  ２２…ＲＯＭ  ２４…冷却ファン  ４１…リモコン  ４２…外気温度センサー  ４３…無線送受信部
【図１】
2010250083.tif 000003
【図２】
2010250083.tif 000004
【図３】
2010250083.tif 000005
【図４】
2010250083.tif 000006
【図５】
2010250083.tif 000007